(57)【要約】【課題】  券売機等において、ロール紙の不要部分について、万一紛失しても精査が困難であり、紛失したことを後で認識することも出来ないため、券売機等に用いられるロール紙の第三者による不正使用からの安全性担保に課題がある。【解決手段】  発券装置の制御部は、ロール紙媒体収納部から搬送されるロール紙媒体の終端部を切断して終端券とするときに、終端券の切断情報を制御部を記憶し、印刷部に対して終端券に終端券印字を行うように制御する。【選択図】図５（ａ）
2015090566.tif 000002
【特許請求の範囲】
【請求項１】
ロール紙媒体を収納するロール紙媒体収納部と、
前記ロール紙媒体を切断して券片とするロール紙媒体切断部と、
前記券片に印刷を行う印刷部と、
制御部とを有し、
前記制御部は、前記ロール紙媒体収納部から搬送される前記ロール紙媒体の終端部を切断して終端券とするときに、前記終端券の切断情報を制御部を記憶し、前記印刷部に対して前記終端券に終端券印字を行うように制御することを特徴とする発券装置。
【請求項２】
前記制御部は、前記ロール紙媒体収納部から搬送される前記ロール紙媒体の先端部を切断して先端券とするときに、前記先端券の切断情報を前記制御部を記憶し、前記印刷部に対して前記先端券に先端券印字を行うように制御することを特徴とする請求項１に記載の発券装置。
【請求項３】
回線接続部をさらに有し、
前記回線接続部を介して接続する端末に、前記回線接続部を介して前記終端券の切断情報を送信することを特徴とする請求項１に記載の発券装置。
【請求項４】
回線接続部をさらに有し、
前記回線接続部を介して接続する端末に、前記回線接続部を介して前記終端券の切断情報及び/または前記先端券の切断情報を送信することを特徴とする請求項２に記載の発券装置。
【請求項５】
前記券片に磁気情報を記録しかつ前記券片の磁気情報を読み取る磁気機構部と、前記券片を放出/挿入を受ける排出/挿入口とをさらに有し、
前記制御部は、
前記磁気機構部に対して、前記終端券に前記終端券であることを示す磁気情報を記録するように制御し、前記排出/挿入口に前記終端券が挿入されるときに前記終端券から磁気情報を読み取るように制御し、
前記磁気情報からの読み取り情報を前記端末に送信することを特徴とする請求項１乃至４のいずれかに記載の発券装置。
【請求項６】
ロール紙媒体を収納するロール紙媒体収納部と、前記ロール紙媒体を切断して券片とするロール紙媒体切断部と、前記券片に印刷を行う印刷部と、発券装置制御部とを有する発券装置と、
端末制御部を有して前記発券装置と通信をする端末とを備える発券システムであって、
前記発券装置制御部は、前記ロール紙媒体収納部から搬送される前記ロール紙媒体の終端部を切断して終端券とするときに、前記終端券の切断情報を制御部を記憶し、前記印刷部に対して前記終端券に終端券印字を行うように制御し、前記端末に前記前記終端券の切断情報を含む稼動情報を送信するように制御し、
前記端末は、前記稼動情報を格納することを特徴とする発券システム。
【請求項７】
前記発券装置は、前記券片に磁気情報を記録しかつ前記券片の磁気情報を読み取る磁気機構部と、前記券片を放出/挿入を受ける排出/挿入口とをさらに有し、
前記発券装置制御部は、前記磁気機構部に対して、前記終端券に前記終端券であることを示す磁気情報を記録するように制御し、前記排出/挿入口に前記終端券が挿入されるときに前記終端券から磁気情報を読み取るように制御し、前記磁気情報からの読み取り情報を前記端末に送信し、
前記端末制御部は、前記読み取り情報と格納した前記稼動情報とを対比し、前記終端券の精査処理を行うことを特徴とする請求項６に記載の発券システム。
【請求項８】
前記発券装置は、前記券片に磁気情報を記録しかつ前記券片の磁気情報を読み取る磁気機構部と、前記券片を放出/挿入を受ける排出/挿入口とをさらに有し、
前記発券装置制御部は、
前記ロール紙媒体収納部から搬送される前記ロール紙媒体の先端部を切断して先端券とするときに、前記先端券の切断情報を前記発券装置制御部にさらに記憶し、かつ前記印刷部に対して前記先端券に先端券印字を行うように制御し、
前記端末に前記先端券の切断情報をさらに送信し、
前記磁気機構部に対して、前記終端券に前記終端券であることを示す磁気情報を、前記先端券に前記先端券であることを示す磁気情報を各々記録するように制御し、前記排出/挿入口に前記終端券及び/または前記先端券が挿入されるときに前記終端券及び/または前記先端券から磁気情報を読み取るように制御し、
前記磁気情報からの読み取り情報を前記端末に送信し、
前記端末制御部は、前記読み取り情報と格納した前記稼動情報とを対比し、前記終端券及び/または前記先端券の精査処理を行うことを特徴とする請求項６に記載の発券システム。
【請求項９】
前記発券装置制御部は、前記精査処理を完了した前記終端券について、前記印刷部に対して精査処理済みであることを示す印字を行わせる制御と、前記磁気機構部に対して精査処理済みであることを示す磁気記録を行わせる制御の少なくともいずれかを行うことを特徴とする請求項７乃至８のいずれかに記載の発券システム。
【発明の詳細な説明】
【技術分野】
【０００１】
本発明は、発券装置及び発券システムに関する。
【背景技術】
【０００２】
鉄道等交通機関の駅の窓口等に設置されている乗車券や回数券等を発行するための発券装置には、券種に対応した様々な大きさの媒体の券面への印刷及び磁気面へデータを書込む機能を備えた装置がある。このように、取扱う券種が多種である場合には、対応する媒体をあらかじめ媒体収納庫に装填しておき、収納庫から繰出して印刷及び磁気書込みをして発券する方式より、コスト・管理面で有効な、媒体元にロール状の用紙（以降、ロール紙と記述)を使用し、発行する券種に対応した長さにロール紙を切断して印刷と磁気書込みを行い発行する方式が採用されている。
【０００３】
しかしこの方式は、媒体元にロール紙を使用することで、ロール紙の先端部分と終端部分の券片として使用出来ない部分が用紙製造や保管管理の都合上で存在する。そのため、ロール紙を装填する際と、ロール紙の終端を検知した際は、そこで作成される媒体を券片媒体としない使用不可部分としていた。
【０００４】
前記の券片媒体としない媒体を使用不可媒体とする為に、ロール紙先端、又は終端を検知した時に切断した媒体を券片に使用しないために装置外へ排出する際に、媒体が無効であることを明確に示す為の廃棄処理印刷を前述の券面への印刷手段により券面に施すことが行われている(例えば特許文献１)。
【０００５】
このような発券装置では、ロール紙の装填時に切断されるロール紙の先端部分に対し、該先端部分を不要媒体として廃棄処理する為の印刷を行う印刷手段や、ロール紙の終端検知する検知手段を設けて、前記検知手段が前記ロール紙の終端を検知した場合に、そのロール紙終端部を適宣の長さに切断して前記印刷手段により該終端部分を不要媒体として廃棄印刷して処理する。（例えば特許文献１）
【先行技術文献】
【特許文献】
【０００６】
【特許文献１】特開２００１―１６２８７３号公報
【発明の概要】
【発明が解決しようとする課題】
【０００７】
特許文献１に記載の技術の場合、ロール紙を使用するために面合わせを行い発生する先端部分や、次回起動時に使用できない残量となったロール紙の終端部分が取り除かれなかったり、ゴミとして未処理で廃棄してしまい、第三者により不正使用される恐れが有り、安全性に課題が有る。本課題に対して、先端部分や終端部分に対して不要媒体を示す印刷を行う事で安全性の問題を回避している。
【０００８】
しかし、券売機等に用いられるロール紙を使用した発券装置の場合、多種の券を発券するため、発券に必要なロール紙の長さが一定でなかったり、発券する枚数が複数枚におよぶこともあることから、発生する前記ロール紙終端部の不要部分の状態が一定とはならない。不正使用の問題回避手段として、印刷を施す事のみを行うに過ぎない場合には、印刷処置処理の履歴を管理していない為、実際にどのような不要部分の廃棄印刷が発生したのか、例えば不要部分の枚数が複数となる場合に何枚発生したのかが不明となる。また、実際に廃棄印刷を施した不要部分の廃棄印刷のタイミングが管理されていないため廃棄印刷の精査は不可能である。よって、以上の場合には、ロール紙の不要部分について、万一紛失しても精査が困難であり、紛失したことを後で認識することも出来ないため、券売機等に用いられるロール紙の第三者による不正使用からの安全性担保に課題がある。
【課題を解決するための手段】
【０００９】
本発明による発券装置は一例として、ロール紙媒体を収納するロール紙媒体収納部と、前記ロール紙媒体を切断して券片とするロール紙媒体切断部と、前記券片に印刷を行う印刷部と、制御部とを有し、前記制御部は、前記ロール紙媒体収納部から搬送される前記ロール紙媒体の終端部を切断して終端券とするときに、前記終端券の切断情報を制御部を記憶し、前記印刷部に対して前記終端券に終端券印字を行うように制御することを特徴とする。
【００１０】
本発明による発券システムは一例として、ロール紙媒体を収納するロール紙媒体収納部と、前記ロール紙媒体を切断して券片とするロール紙媒体切断部と、前記券片に印刷を行う印刷部と、発券装置制御部とを有する発券装置と、端末制御部を有して前記発券装置と通信をする端末とを備える発券システムであって、前記発券装置制御部は、前記ロール紙媒体収納部から搬送される前記ロール紙媒体の終端部を切断して終端券とするときに、前記終端券の切断情報を制御部を記憶し、前記印刷部に対して前記終端券に終端券印字を行うように制御し、前記端末に前記前記終端券の切断情報を含む稼動情報を送信するように制御し、前記端末は、前記稼動情報を格納することを特徴とする。
【発明の効果】
【００１１】
不要部媒体の第三者による不正使用の機会をより軽減し、券売機等に用いられるロール紙の管理の安全性を向上させることが可能となる。
【図面の簡単な説明】
【００１２】
【図１（ａ）】実施例１のシステムの例の図
【図１（ｂ）】発券装置の内部構成図
【図２】発券装置及び係員端末の機能ブロック図
【図３】発券装置の制御部の機能ブロック図
【図４】発券処理を示したフローチャート
【図５（ａ）】終端部媒体処理を示したフローチャート
【図５（ｂ）】先端部媒体処理を示したフローチャート
【図６（ａ）】終端部１枚目の印刷パターン示した図（実施例１）
【図６（ｂ）】終端部２枚目の印刷パターン示した図（実施例１）
【図７】先端部印刷パターン示した図（実施例１）
【図８】不要ロール紙媒体処理と上位報告を示したフローチャート（実施例１）
【図９】稼動ログ情報テーブルの（実施例１）
【図１０】実施例２のシステムの例の図
【発明を実施するための形態】
【実施例１】
【００１３】
以下、図１〜図９を参照して、本発明の一実施形態を説明する。本実施形態は、係員が操作する係員端末に接続される発券装置に関する。なお、係員端末の例として、鉄道システム等の交通機関の窓口用端末や、くじ券の販売窓口用端末、商品券の発行端末等があるが、これらに限られるものではない。
【００１４】
図１（ａ）は、発券装置と係員端末との接続状態を示したシステム図である。発券装置（Ｔｉｃｋｅｔ  ＰＲｉｎｔｅｒ：ＴＰＲ）１は、例えば、交通機関の窓口に設置され、乗車券や座席指定券などの発券を行ったり、くじ券の販売窓口や商品券の発行窓口に設置され、くじ券又は商品券の発券を行う装置である。また、係員端末１３は、例えば、交通機関の窓口、くじ券の販売窓口、又は商品券の発行窓口に設置され、係員が操作する端末である。係員端末１３は、タッチパネル等からなる操作表示部３を備えており、係員の操作を受け付ける。
【００１５】
また、発券装置１と係員端末１３とは、それぞれ回線接続部８、１４を備えており、互いに情報の送受信を行う。なお、図１（ａ）では、発券装置１と係員端末１３とを１：１で接続した状態を図示しているが、ネットワーク回線を介して１：Ｎ（あるいはＮ：１、Ｎ：Ｎ）で接続しても良い。
【００１６】
図１（ｂ）は、発券装置１の内部構成図である。発券装置１は、係員端末１３からの発券指示に基づき、利用者の要求する種々の券片（乗車券、座席指定券、くじ券、商品券等）を発券する装置であり、ロール紙媒体収納部４、ロール紙媒体切断機構部５、サーマル印刷機構部６、磁気機構部７、媒体搬送機構部９及び排出/挿入口１０を備える。
【００１７】
ロール紙媒体収納部４は、複数の色に発色する感熱媒体であり、かつ磁気記録媒体でもあるロール紙２の収納部であり、ロール紙２を一巻又は複数巻収納する。このロール紙２はロール紙装填扉１２より出し入れが可能となっている。
【００１８】
ロール紙媒体切断機構部５は、ロール紙媒体収納部４から繰出されたロール紙２を切断する刃状の機構であり、ロール紙２の搬送方向に対して上下方向からの力が掛かることにより、ロール紙２を切断して券片とする。
【００１９】
サーマル印刷機構部６は、多数の発熱抵抗素子を一方向に配列し、両端に電極を備えた印字部であり、電圧を印加され、発熱抵抗素子が加熱されることにより、切断された券片に印字を行う。また、サーマル印刷機構部6は発熱抵抗素子に加え熱転写部を設けることで感熱発色特性を備えないロール紙媒体２に熱転写による印字を行う機構とする方法もある。
【００２０】
磁気機構部７は、磁界を印加する磁気ヘッド、磁界を消去する消磁ヘッド及び磁気の読取ヘッドを備え、磁気ヘッド及び消磁ヘッドにより、切断された券片に磁気情報を記録したり、読取ヘッドにより券片に記録された磁気情報を読み取る。なお、本実施例においては、磁気機構部７は除去した構成としてもよい。
【００２１】
媒体搬送機構部９は、モータ等の駆動手段や、搬送ベルト及び搬送ローラ等の搬送手段から構成され、ロール紙媒体切断機構部５で切断される前のロール紙２や、ロール紙媒体切断機構部５で切断された券片を搬送する。
【００２２】
排出/挿入口１０は、ロール紙媒体切断機構部５で切断され、サーマル印刷機構部６での加熱及び冷却や、磁気機構部７での磁気情報の記録が完了した券片の放出/挿入を受ける口である。係員は、当該排出/挿入口１０に放出された券片を取り出すことにより、利用者に乗車券、座席指定券、くじ券又は商品券として提供することが可能となる。
【００２３】
回収箱１１は、利用者に乗車券、座席指定券、くじ券又は商品券として提供することを目的としない記録等に使用される券片や、利用者に提供する目的で作成したが、搬送途中の券詰まりや磁気記録不良などで利用者に提供できなくなった不良券片を、初期復旧処理過程で券片として無効となるような印刷処置や磁気消去措置を施した廃棄券等を退避しておく収納箱である。
【００２４】
図２は、図1（ａ）（ｂ）に示す発券装置１及び係員端末１３の機能ブロック図である。発券装置１は、上記ロール紙媒体収納部４、ロール紙媒体切断機構部５、サーマル印刷機構部６、磁気機構部７、回線接続部８、媒体搬送機構部９、排出/挿入口１０及び回収箱１１と接続され、これらの各部を制御する制御部１００とを備えている。また、係員端末１３は、操作表示部３及び回線接続部１４と接続され、これらの各部を制御する制御部１５０と、各部に電源を供給する電源部１５８とを備えている。さらに制御部１５０には業務データ集計部１５１を備えている。業務データ集計部１５１については、業務データの管理はシステムを司るホストにて行なう為、係員端末１３に備えるのではなくホストに設けるように構成してもよい。制御部１００及び１５０は、ＣＰＵやＲＡＭ、ＲＯＭ等のハードウェアで構成されており、それぞれ発券装置１や係員端末１３の実行に必要なプログラム、データ等のソフトウェアが記録され、これらのソフトウェアを実行する。
【００２５】
図３は、発券装置１の制御部１００の機能ブロック図である。制御部１００は、発券装置１の機能に応じて、媒体供給制御部１０１、ロール紙切断制御部１０２、サーマル印刷制御部１０３、磁気エンコード制御部１０４、媒体搬送制御部１０５、通信制御部１０６、表示制御部１０７及び各部に電源を供給する電源部１０８を備える。
【００２６】
媒体供給制御部１０１は、ロール紙媒体収納部４に収納されたロール紙２の先端をロール紙２から分離するスクレーパ等の分離機構（図示せず）や、分離ローラ（図示せず）を制御する。また、媒体供給制御部１０１は、ロール紙媒体収納部４内及び媒体搬送機後部９に配置されたセンサ(図示せず)の情報を活用し、ロール紙２の先端部や終端部を検出する。
【００２７】
ロール紙切断制御部１０２は、搬送されたロール紙２を切断するときにロール紙媒体切断機構部５を制御する。具体的には、ロール紙２の上側又は下側からロール紙媒体切断機構部５をロール紙２に当てることにより、ロール２の切断を行う。切断されたロール紙２は、券片としてロール紙２から分離される。
【００２８】
サーマル印刷制御部１０３は、サーマル印刷機構部６の温度や、印字部の温度や発熱抵抗素子、冷却素子の抵抗値に応じて適切な通電パルス幅を制御したり、ロール紙２から分離された券片に対して印字を行うようにサーマル印刷機構部６を制御する。
【００２９】
磁気エンコード制御部１０４は、サーマル印刷機構部６で印字された券片に対して磁気情報を記録するときに、磁気機構部７の磁気ヘッドや消磁ヘッドを制御したり、券片に対して記録された磁気情報を確認するときに磁気機構部７の読取ヘッドを制御する。
【００３０】
媒体搬送制御部１０５は、ロール紙媒体収納部４、ロール紙媒体切断機構部５、サーマル印刷機構部６、磁気機構部７、排出/挿入口１０又は回収箱１１にロール紙２又は券片を搬送させるときに、媒体搬送機構部９のモータ等の駆動手段や、搬送ベルト及び搬送ローラ等の搬送手段を制御する。
【００３１】
通信制御部１０６は、係員端末１３の回線接続部１４との情報の送受信を行うために、回線接続部８を制御する。係員端末１３に送信する情報には、未発券、発券処理中、発券完了等の装置の状態、ロール紙不足、故障箇所あり、通信不能等の発券ができない場合の要因、係員端末１３の操作表示部３に表示する画面内容等を含むものとする。また、係員端末１３から受信する情報には、発券する券片の種類、券片の長さ等を指示する情報や、印刷データや磁気データなど券片のデータもある。さらには、搬送失敗など発券動作等で発券端末１が障害状態となった場合に初期復旧などの端末初期化を促す指示命令なども含むものとする。
【００３２】
表示制御部１０７は、発券端末１の表示部（図示せず）に表示する画面内容を作成し、当該表示部に表示するように制御する。
【００３３】
以下、本実施形態における印字処理について、図４に示すフローチャートを用いて本システムにおける発券方法について説明する。
【００３４】
最初に、通信制御部は１０６は、係員端末１３の回線接続部１４から券片の種類、券片の長さに関する情報を受信する（ステップＳ１０１）。
【００３５】
次に、媒体供給制御部１０１は、ロール紙媒体収納部４からロール紙２の先端を繰り出すように制御し（ステップＳ１０２）、媒体搬送制御部１０５は、ロール紙２をロール紙媒体切断機構部５に搬送するように、媒体搬送機構部９を制御する（ステップＳ１０３）。このとき、媒体供給制御部１０１は、ロール紙２の先端とロール紙媒体切断機構部５との距離Ｄと、券片の長さＬとの差が閾値δ未満となったときに、媒体搬送機構部９を停止する制御を行う（ステップＳ１０４、Ｓ１０５）。
【００３６】
次に、ロール紙切断制御部１０２は、ロール紙媒体切断機構部５でロール２の切断を行うように制御し、ロール紙２と券片とを分離する（ステップＳ１０６）。その後、媒体供給制御部１０１は、分離された券片をサーマル印刷機構部６に搬送するように、媒体搬送機構部９を制御する（ステップＳ１０７）。
【００３７】
次に、サーマル印刷制御部１０３は、サーマル印刷機構部６で係員端末より受信した印刷データの情報に基づき券片に印字を行うように制御する（ステップＳ１０８）。その後、媒体供給制御部１０１は、印字された券片を磁気機構部７に搬送するように、媒体搬送機構部９を制御する（ステップＳ１０９）。
【００３８】
次に、磁気エンコード制御部１０４は、磁気機構部７の磁気ヘッド及び消磁ヘッドで券片に磁気情報を記録するように制御する（ステップＳ１１０）。記録された磁気情報を、磁気機構部７の読取ヘッドで読み取ることにより、磁気情報の確認をしても良い。その後、媒体供給制御部１０１は、磁気情報が記録された券片を排出/挿入口１０に搬送するように、媒体搬送機構部９を制御する（ステップＳ１１１）。
【００３９】
なお、券片に磁気情報を記録しない場合は、媒体供給制御部１０１は、印字された券片を排出/挿入口１０に搬送するように、媒体搬送機構部９を制御しても良い。
【００４０】
ここで、媒体供給制御部１０１がロール紙媒体収納部４からロール紙２の先端を繰り出す制御 (ステップＳ１０２)から、ロール紙切断制御部１０２が、ロール紙媒体切断機構部５でロール２の切断を行うように制御し、ロール紙２と券片とを分離(ステップＳ１０６)する際に、ロール紙２の状態をチェックしてロール紙２の終端を検出した場合は、通信制御部１０６により発券結果に併せてロール紙２の終端状態も報告する。
【００４１】
この報告によりは操作表示部３にその旨を表示し、係員へ発券端末１の復旧処理を促し、図５(ａ)に示す処理フローチャートによりロール紙２の装填処理を行う。
【００４２】
最初に、発券端末１はロール紙２が終端検知状態である(ステップＳ２０１)。通信制御部は１０６により、回線接続部８から回線接続部１４を介し係員端末１３へロール紙２終端検知状態を報告している。操作表示部３はその旨を表示し、発券操作が出来ない状態である(図示せず)。
【００４３】
係員は発券端末１のロール紙２が終端検知状態のため、前扉１２を開けるので発券端末１は前扉開状態とし(ステップＳ２０２)、ファームウェアによる一切のメカ動作を禁止した状態とする。次に係員は新たに使用するロール紙２をロール紙媒体収納部４へ設置し前扉１２を閉める(ステップＳ２０３)。前記前扉を閉めることで、発券端末１はメカ動作の禁止状態を解除する(図示せず)。この時に、例えばロール紙２が巻き始めの中心部に管のような部品を使用している場合には、元の使用中であったロール紙２の前記部品がロール紙媒体収納部４の中に残留しているため、新たに使用するロール紙２をロール紙媒体収納部４へ設置する前に、残留している前記部品を取り除くことが必要となることも有る(図示せず) 。
【００４４】
ここで、係員による前記前扉が閉められたきっかけで、ステップＳ２０４以降の処理を行うのだが、発券端末１が回線接続部８から回線接続部１４を介して係員端末１３へその旨を報告し、操作表示部３にて状態と発券端末１の初期化を促す表示を行い、係員による係員端末１３の係る操作により発券端末へ初期化の指示を行う場合も有る。（図示せず）
媒体供給制御部１０１は発券端末１内に残留しているロール紙２の終端部を繰り出すように制御し、媒体搬送制御部１０５は、ロール紙２の終端部をロール紙媒体切断機構部５に搬送するように、媒体搬送機構部９を制御する(ステップＳ２０４）。ここで媒体供給制御部１０１は、ロール紙２の終端部残量を判定(ステップＳ２０５)する。ロール紙媒体の通常の切断片の長さの範囲は、排出口１０や回収箱１１に適した大きさ(排出口１０や回収箱１１が受容する媒体長さの範囲の最長値以下)で且つ媒体搬送機構部９で搬送可能な長さ(媒体搬送機構部９で搬送可能な媒体長さの範囲の最短値以上)である。すなわち、排出口１０や回収箱１１が受容する媒体長さの範囲の最長値以下かつ媒体搬送機構部９で搬送可能な媒体長さの範囲の最短値以上の範囲である。終端部残量について、この範囲を超えて排出口１０や回収箱１１が受容する媒体長さの範囲の最長値より大きい場合は、ロール紙２の終端部は、上記のロール紙媒体の通常の切断片の長さの範囲の複数枚の断片(終端券)に切断され、終端券の枚数を含む切断情報を制御部に記憶し(ステップＳ２０６) 、終端部から作成される終端券は複数となる。尚、Ｓ２０５の判定にて、ロール紙２の終端部残量が排出口１０や回収箱１１が受容する媒体長さの範囲の最長値以下であるために切断が必要ない場合はロール紙２の終端部の切断は実施せず、終端券は１枚となり、終端券は１枚という情報を含む切断情報を制御部に記憶する。その後、媒体供給制御部１０１は、切断分離された複数の終端券又は切断分離されなかった１枚の終端券をサーマル印刷機構部６に搬送するように、媒体搬送機構部９を制御する（ステップＳ２０７）。
【００４５】
次に、サーマル印刷制御部１０３は、サーマル印刷機構部６で搬送された終端券が終端部での何枚目かを示す情報を含めた終端券であることを示す情報の終端券印字を行うように制御する（ステップＳ２０８）。ここで、ｎ枚目に関連する情報は、ステップＳ２０５の判定にて複数枚発生する場合を考慮し、終端券処理にて何枚目の終端券かを表現するものである。サーマル印刷制御部１０３の印字制御については、図６で詳細に説明する。その後、媒体供給制御部１０１は、印字された券片を磁気機構部７に搬送するように、媒体搬送機構部９を制御する（ステップＳ２０９）。
【００４６】
次に、磁気エンコード制御部１０４は、磁気機構部７の磁気ヘッド及び消磁ヘッドで終端券に終端券であることを示す磁気情報を記録するように制御する（ステップＳ２１０）。記録された磁気情報を、磁気機構部７の読取ヘッドで読み取ることにより、磁気情報の確認をしても良い。その後、媒体供給制御部１０１は、磁気情報が記録された終端券を排出/挿入口１０又は回収箱１１に搬送するように、媒体搬送機構部９を制御する（ステップＳ２１１）。
【００４７】
なお、終端券に磁気情報を記録しない場合は、媒体供給制御部１０１は、印字された終端券を排出/挿入口１０又は回収箱１１に搬送するように、媒体搬送機構部９を制御しても良い。
【００４８】
次に、媒体供給制御部１０１はステップＳ２０６で記憶したロール紙２の切断情報や、ロール紙媒体収納部４内及び媒体搬送機後部９に配置されたセンサ(図示せず)ののロール紙検知状態の情報に基づいて、終端部残留の有無を判定し、有りと判定された場合はステップＳ２０４の繰出し処理へ遷移し、ｎ枚目の終端券処理を実施する。また、ステップＳ２１２にて無しと判定された場合は終端券処理を終了し、図５(ｂ)に示すロール紙２の装填処理を行う。
【００４９】
図５（ｂ）はロール紙装填処理のフローチャートであり、ロール紙２がロール紙媒体収納部４内に先端処理が完了していない状態で収納されている条件から始まる（ステップＳ３０１）。ロール紙２がロール紙媒体収納部４内に無いと判定された場合やロール紙２が先端処理済状態であった場合は、本フローチャートの対象外となる。
【００５０】
最初に、媒体供給制御部１０１は、ロール紙媒体収納部４からロール紙２の先端を繰り出すように制御し（ステップＳ３０２）、媒体搬送制御部１０５は、ロール紙２をロール紙媒体切断機構部５に搬送するように、媒体搬送機構部９を制御する（ステップＳ３０３）。このとき、媒体供給制御部１０１は、ロール紙２の先端とロール紙媒体切断機構部５との距離Ｄと、先端部とされる領域の長さＬについて、ロール紙２の先端がロール紙媒体切断機構部５よりも搬送方向で先に搬送された状態でＤがＬを超えるときに、媒体搬送機構部９を停止する制御を行う（ステップＳ３０４、Ｓ３０５）。
【００５１】
次に、ロール紙切断制御部１０２は、ロール紙媒体切断機構部５でロール２の切断を行うように制御し、ロール紙２とロール紙２の先端部を切断して先端券とし、先端券についての切断情報を制御部に記憶する（ステップＳ３０６）。その後、媒体供給制御部１０１は、切断された先端券をサーマル印刷機構部６に搬送するように、媒体搬送機構部９を制御する（ステップＳ３０７）。
【００５２】
次に、サーマル印刷制御部１０３は、サーマル印刷機構部６で先端券に先端券であることを示す情報の先端券印字を行うように制御する（ステップＳ３０８）。サーマル印刷制御部１０３の先端券への印字制御については、図７で詳細に説明する。その後、媒体供給制御部１０１は、印字された先端券を磁気機構部７に搬送するように、媒体搬送機構部９を制御する（ステップＳ３０９）。
【００５３】
次に、磁気エンコード制御部１０４は、磁気機構部７の磁気ヘッド及び消磁ヘッドで先端券に先端券であることを示す磁気情報を記録するように制御する（ステップＳ３１０）。記録された磁気情報を、磁気機構部７の読取ヘッドで読み取ることにより、磁気情報の確認をしても良い。その後、媒体供給制御部１０１は、磁気情報が記録された先端券を排出/挿入口１０又は回収箱１１に搬送するように、媒体搬送機構部９を制御する（ステップＳ３１１）。
【００５４】
なお、先端券に磁気情報を記録しない場合は、媒体供給制御部１０１は、印字された先端券を排出/挿入口１０又は回収箱１１に搬送するように、媒体搬送機構部９を制御しても良い。
【００５５】
以上が図５（ａ）、図５（ｂ）によりメカ動作の終端券処理と先端券処理を説明である。前述の動作によって実施された結果を係員端末１３へ報告し、管理処理については図８にて詳細に説明する。
【００５６】
図６は前述の終端券の印字面の例を示す。この終端券には、終端部における当該終端券の順番(何枚目か)と切断処理の時刻情報と併せて識別情報６０１、６０２として示す券面印字を行う。また、図に示すように、搬送方向に併せて任意の幅を持つ線を枚数順の数だけ引いた印字としてもよい。この場合は、視覚的に枚数順が明らかになるとともに、視覚的に正規の発行券ではないことが明らかになり、第三者の不正利用防止の効果を高めることができる。また、これに限らず、通常の印字とは異なる印字を施して終端券の何枚目かがわかるようにしてもよい。本図には終端券１枚目の例（ａ）と２枚目の例（ｂ）を記載している。
【００５７】
図７は前述の先端券の印字面の例を示す。この先端券には、先端券の切断処理の時刻情報を識別情報７０１として示す券面印字を行う。また、図に示すように、搬送方向に併せて任意の幅を持つ線を引いた印字としてもよい。図６と同様に、この場合は、視覚的に枚数順が明らかになるとともに、視覚的に正規の発行券ではないことが明らかになり、第三者の不正利用防止の効果を高めることができる。また、このような印字を終端券と異なる印字として、終端券と区別できるようにしてもよい。また、これに限らず、通常の印字とは異なる印字を施して先端券がわかるようにしてもよい。
【００５８】
図８にて発券端末１と係員端末１３を構成するシステムでのフローを説明する。
【００５９】
係員の係員端末１３への操作により本実施例の制御が開始となり、始めに上述の終端券処理を実施する（ステップＳ４０１）。次に、上述の先端券処理を実施する（ステップＳ４０２）。次に発券端末１のメカ処理復旧を実施する（ステップＳ４０３）。次に、本動作による動作結果情報を係員端末１３へ稼動情報として送信する。この稼動情報には、制御部にて記憶した終端券について切断情報と先端券との切断情報を含む。係員端末１３では、受信した稼動情報を稼動ログ情報として記憶する。係員端末１３に設けられる稼稼動ログテーブル９０１に稼動ログ情報を格納する例を図９に示す。稼稼動ログテーブル９０１には、終端券と先端券の種別情報、切断時刻情報、管理番号(例えば、複数に断片化された場合の断片順)が含まれる。稼動ログ情報を元に係員端末１３がデータを任意の単位で蓄積し、精査のタイミングで操作表示部３に表示するなどして、終端券及び先端券の実券の印字比較や枚数の一致チェック等により、廃券とされた終端券及び先端券の管理が出来ることになる。
【実施例２】
【００６０】
実施例１では、作成した終端券と先端券の精査について、終端券及び先端券の実券と
係員端末１３に集約した稼動ログ情報（操作表示部３へ表示したデータなど）との精査を実券の確認から行う方法として説明した。
【００６１】
実施例２では、実施例１と精査の処理が異なる。その他の部分は実施例１と同様であるため、説明を省略する。
【００６２】
図１０に実施例２のシステムの例を示す。発券端末１の排出/挿入口１０から終端券及び先端券を精査券として挿入し、精査券に記録してある磁気データを読取り、読み取った情報を回線接続部８から回線接続部１４を介して係員端末１３へ送信する。係員端末１３の制御部１５０は、回線接続部８から送信される読み取り情報に基づいて、上述の稼動ログ情報テーブルを検索し、読み取り情報に一致する情報が格納されているか否かに基づいて精査券の精査を行う。１００１は、係員端末１３の操作表示部３に表示される検索の結果の例である。稼動ログ情報テーブルに対応するデータが存在した精査券については、精査は「済」と表示され、対応するデータが存在しなかった場合には精査は「否」と表示される。なお、精査対象としては終端券と先端券のいずれか双方としてもよい。
【実施例３】
【００６３】
実施例２で読み取り完了して精査した終端券及び先端券については、そのまま回収や排出を行い、管理元にて保管管理しうる。
【００６４】
実施例３では、実施例２の処理の後に、さらに処理済みの記録を終端券及び先端券に対して行う。その他の部分は実施例２と同様であるため、説明を省略する。
【００６５】
実施例２の処理の後、読み取り完了した終端券及び先端券に対し、発券端末１により精査処理済みであることを表す印字、精査処理済みであることを表す磁気記録の少なくともいずれかを行う。これにより、精査も完了した廃券を確実に区別、管理することが可能となる。本印字及び磁気処理についての指令制御は、上位装置に相当する係員端末１３から指示しても、発券端末１自身で実施してもよい。
【図１（ａ）】
2015090566.tif 000003
【図１（ｂ）】
2015090566.tif 000004
【図２】
2015090566.tif 000005
【図３】
2015090566.tif 000006
【図４】
2015090566.tif 000007
【図５（ａ）】
2015090566.tif 000008
【図５（ｂ）】
2015090566.tif 000009
【図６（ａ）】
2015090566.tif 000010
【図６（ｂ）】
2015090566.tif 000011
【図７】
2015090566.tif 000012
【図８】
2015090566.tif 000013
【図９】
2015090566.tif 000014
【図１０】
2015090566.tif 000015